(57)【要約】  【課題】  比較的簡単に製造することができ、しかも快適に装着することのできる布製生理用ナプキンを提供する。  【解決手段】  吸収層を内包するように縁が折り返された内布１１に、縁かがり縫い１５が施された外布１２を、外布１２がはみ出さないように重ね、内布１１の折り返し部分において外布１２と内布１１を縫合する。該ナプキン１０をショーツのクロッチに取り付けて固定するための羽根を、内布と外布の間に縫合してもよい。本発明に係るナプキン１０では、その端縁が内布１１の折り返し部分となっているため柔らかく、装着時に違和感が無い。また、長時間歩行しても肌が擦れて痛くなることがない。そして、テープ縫いや袋縫いのような複雑な縫製作業が不要であり、比較的簡単に且つ低コストで製造することができる。【選択図】  図１
2006288681.tif 000002
【特許請求の範囲】
【請求項１】
吸収層を内包するように縁が折り返された内布に、縁かがり縫いが施された外布を、外布がはみ出さないように重ね、内布の折り返し部分において外布と内布を縫合したことを特徴とする布製生理用ナプキン。
【請求項２】
該ナプキンをショーツのクロッチに取り付けて固定するための羽根が、内布と外布の間に縫合されていることを特徴とする請求項１に記載の布製生理用ナプキン。
【請求項３】
該ナプキンをショーツのクロッチに取り付けて固定するための羽根が本体と一体に形成されていることを特徴とする請求項１に記載の布製生理用ナプキン。
【発明の詳細な説明】
【技術分野】
【０００１】
本発明は、布製生理用ナプキンに関する。
【背景技術】
【０００２】
従来、生理用ナプキンとしては、吸水性樹脂を使用した使い捨てタイプのナプキンが多く使われてきた。しかし、使用者によっては使い捨てタイプのナプキンを使用するとその素材により身体との接触部に かぶれ や かゆみ が生じること、また、使用済みナプキンが環境に負荷を与える点などが考慮され、近年、布製生理用ナプキンが見直され、その使用が徐々に広まりつつある（特許文献１、特許文献２等）。布製生理用ナプキンは、携帯時にかさばる、使用毎に洗濯を必要とする等の欠点がある一方、逆に、洗濯すれば再利用が可能であり、布特有の暖かみがある、局部が蒸れたりかぶれたりすることが少ない、必要時の買い置き忘れがない等の利点がある。
【０００３】
このような布製生理用ナプキンは、一般的には次のような方法で作製されている。すなわち、図６(a)の断面図に示すように、肌に当たる側の表面となる内布６１とその反対側の表面となる外布６２の間に経血吸収用の厚手の布や防水布等６３を介挿し、それらの周囲を縫合６４して仕上げる。これにより、内部の吸収布等６３が内布６１や外布６２に固定され、内部で動いたり偏ったりすることが防止される。また、この周囲の縫合６４を図６(b)に示すようにロックミシンによる縁かがり縫いとすることにより、内布６１、外布６２及び内部の吸収布等６３を裁ち切りのまま使用することができ、１回の縁縫製のみで全縫製作業を完了することができる。すなわち、それらの各々に予め縁処理を施しておかなくとも、ロックミシンによる縁かがり縫いにより裁ち切りの縁の解れを防止することができる。
【０００４】
また、他の作製方法として、周辺の縁をテープで包み、縫い綴じるという方法もある。
更に、内布と外布の表面同士を合わせた状態で、一部を残して周囲を縫合し、その後、縫い残した部分から両布を裏返し、中に吸収布等を入れて最後に縫い残した箇所を縫合するという袋縫いの方法もある。
【特許文献１】特開2001-353182号
【特許文献２】特開2004-337204号
【発明の開示】
【発明が解決しようとする課題】
【０００５】
上記のうち、ロックミシンにより縁かがり縫いをする方法で作製した図６(b)に示すような布製ナプキン６０は、縁かがり縫いをした端６４において糸が密集して固くなっているため、装着者に違和感を与えるという問題がある。また、長時間歩行した時にはその端縁が脚の皮膚に擦れて痛くなる。
【０００６】
縁をテープで包んだり袋縫いをする方法で作製した布製ナプキンではそのような問題は生じないが、工程が複雑であり、コストが高くなるという問題がある。
【０００７】
本発明が解決しようとする課題は、比較的簡単に製造することができ、しかも装着者にとって快適な布製生理用ナプキンを提供することである。
【課題を解決するための手段】
【０００８】
上記課題を解決するために成された本発明に係る布製生理用ナプキンは、吸収層を内包するように縁が折り返された内布に、縁かがり縫いが施された外布を、外布がはみ出さないように重ね、内布の折り返し部分において外布と内布を縫合したことを特徴とする。
【０００９】
なお、該ナプキンをショーツのクロッチに取り付けて固定するための羽根を、内布と外布の間に縫合してもよい。
【００１０】
また、その羽根を本体と一体化したものとしてもよい。この場合、内布及び外布は、羽根の部分が本体から左右に張り出したような形状としておき、それらを上記のように縫合する。
【発明の効果】
【００１１】
本発明に係るナプキンでは、その端縁が内布の折り返し部分となっているため柔らかく、装着時に違和感が無い。また、長時間歩行しても肌が擦れて痛くなることがない。そして、テープ縫いや袋縫いのような複雑な縫製作業が不要であり、比較的簡単に且つ低コストで製造することができる。
【発明を実施するための最良の形態】
【００１２】
本発明の第１の実施形態を図１により説明する。図１(a)の断面図に示すように、本実施形態による布製生理用ナプキンは、内布１１と外布１２の間に吸収層１３を介挿した構造を有する。なお、吸収層１３は、後述の実施例でも用いられているような、複数の布等を積層したものでもよい。内布１１は吸収層１３よりもやや大きく、吸収層１３の端縁を包むように吸収層１３の周囲で折り返される。その状態を図１(b)に示す。なお、図１(b)において両端の略半円状の部分に描かれた放射状の線１４は、内布１１を折り返した部分の折りヒダを表している。
【００１３】
外布１２は、図１(c)に示すように、その周囲が縁かがり縫い１５されている。その外形は、吸収層１３を包むように折り返された内布１１の外形よりもやや小さくしておく。図１(a)に示すように、こうして折り返された側に外布１２を置き、これら４つの層を貫通して縫製１６を行う。これにより、本実施形態の布製生理用ナプキン１０が完成する。
【００１４】
この布製生理用ナプキン１０は、周囲が内布１１の折り返し部分となっているため柔らかく、装着者に違和感を与えることが少ない。また、長時間歩くことにより、その周囲の端縁が脚の皮膚に擦れ続けたとしても、装着者に痛みを感じさせることが少ない。
【００１５】
本発明の第２の実施形態を図２及び図３により説明する。図３(a)に示すように、本実施形態の布製生理用ナプキン２０は、第１の実施形態のものに羽根２４を取り付けたものである。本実施形態の布製生理用ナプキンでは、羽根２４は、図３(b)に示すように、外布２２と［内布２１＋吸収層２３］の間に介挿され、内布２１、外布２２等と同時に縫製２６される。羽根２４の両端にはホック２７が取り付けられており、このナプキン２０を装着した後、羽根２４を反対側に折り返してショーツのクロッチを包み、ホック２７で留めることにより、ナプキン２０が動かないようにすることができる。
【００１６】
本実施形態の布製生理用ナプキン２０は、上記のようにショーツに固定するための羽根２４が内布２１・外布２２と同時に縫製されるため製造工程が単純化され、低コストで製造することができる。また、羽根２４は肌に当たる面とは反対の側に折り返されるため、肌に当たるのは上記実施形態のものと同様、内布だけである。また、その端縁も内布の折返し部だけとなっているため、上記の長所がそのまま生かされている。
【００１７】
本発明の第３の実施形態を図４により説明する。上記実施形態では羽根２４は別体であったが、本実施形態の布製生理用ナプキン３０では羽根３４は本体と一体に形成されている。本体部分の内部構造は図４(c)に示すように前記２つの実施形態とほぼ同様であるが、吸収層３３を固定するための布３７が全面に設けられている。また、図４(b)に示すように羽根３４の部分には吸収層３３は設けられていない。
【００１８】
本実施形態の布製生理用ナプキン３０は、上記の実施形態のものと同様の効果を得ることができる他、製造工程が更に単純化され、更に低コストで製造することができる。
【実施例】
【００１９】
本発明の実施例を図５により説明する。
図５(a)は上記第１の実施形態の布製生理用ナプキンの実施例の断面図である。その基本的構造は図１に示したものと同様である。本実施例の布製生理用ナプキンでは、図１の吸収層１３が複数の部材により構成されている。その構成は次の通りである。まず、主たる吸収材としての２枚のタオル生地４３ｂと、そのズレを防止するためのワッフル生地４３ｃを重ね、それらを簡単に縫製４６して固定する。次に、その内側（肌に当たる側）に厚手のパイル起毛布４３ａと、内布４１としての薄手のパイル起毛布を重ね、外側に防水布４３ｄを重ねる。内布４１はそれら吸収材等４３ａ〜４３ｄよりも大きくしておき、周囲を折り返して吸収材等４３ａ〜４３ｄの端縁を包むようにする。これらを再び簡単に縫製４７して、仮押さえしておく。
【００２０】
一方、周囲をロックミシンで縁かがり縫い４５した外布４２を防水布４３ｄの上（図５では下）に置き、縁かがり縫い４５の部分でそれら全体を縫製４９する。これにより、本実施例の布製生理用ナプキン５０が完成する。外布４２は防水布４３ｄにより内側から遮断されているため経血により汚れることがなく、好みの柄布等を用いることができる。
【００２１】
上記実施例において、タオル生地４３ｂとワッフル生地４３ｃを縫製４６で、それらと内布４１及び防水布４３ｄを更に別の縫製４７で予め固定していたが、これらは省略することも可能である。この場合、全ての部材を重ねて、最後に全部を縫製４９することになる。
【００２２】
図５(c)は第２の実施形態の布製生理用ナプキン５０ｂの実施例の断面図である。その基本的構造は図３に示したものと同様であり、吸収材４３ａ〜４３ｄ等の内部構造は上記実施例（図５(a)、(b)）と同じである。本実施例の布製生理用ナプキン５０ｂは、外布４２と内布等４１〜４３ｄの間に羽根４４が介挿されている点でのみ上記実施例と異なる。羽根４４の効用については前記の通りである。
【００２３】
図５(d)は第３の実施形態の布製生理用ナプキン５０ｃの実施例の羽根４４の部分の断面図である。その基本的構造は図４に示したものと同様であり、外布４２と内布４１に羽根４４ｂが一体に形成されている。吸収材４３ａ〜４３ｄ等の積層構造は上記実施例（図５(a)、(b)）とほぼ同じであるが、これらのうち吸収材４３ｂは羽根４４ｂの内部には設けられず、本体の内部にのみ設けられている。また、それらはズレ防止用ワッフル生地４３ｃ及び防水布４３ｄにより外布４４ｂに縫合され、ナプキン５０ｃ全体に固定されている。
【図面の簡単な説明】
【００２４】
【図１】本発明の第１の実施形態である布製生理用ナプキンの断面図(a)、内布等の平面図(b)、外布の平面図(c)、及び全体の外側から見た平面図(d)。
【図２】本発明の第２の実施形態である羽根付布製生理用ナプキンの内布等の平面図(a)、羽根の平面図(b)、及び外布の平面図(c)。
【図３】第２の実施形態の羽根付布製生理用ナプキンの全体の外側から見た平面図(a)、及び羽根の部分の断面図(b)。
【図４】第３の実施形態の羽根一体型布製生理用ナプキンの全体の外側から見た平面図(a)、羽根の部分b-bの断面図(b)、及び本体の端の部分c-cの断面図(c)。
【図５】本発明の実施例である羽根無し布製生理用ナプキンの内布側部材の断面図(a)、全体の断面図(b)、羽根付布製生理用ナプキンの全体の断面図(c)、及び羽根一体型布製生理用ナプキンの羽根の部分の断面図(d)。
【図６】従来の布製生理用ナプキンの概略構造を示す断面図(a)、及び平面図(b)。
【符号の説明】
【００２５】
１０、２０、３０、４０、５０、５０ｂ、５０ｃ…布製生理用ナプキン
１１、２１、３１、４１…内布
１２、２２、３２、４２…外布
１３…吸収層
１４…内布の折りヒダ
１５、２５、３５、４５…縁かがり縫い
２４、３４、４４…羽根
２７、３７…ホック
４３ａ…パイル起毛布
４３ｂ…タオル生地
４３ｃ…ワッフル生地
４３ｄ…防水布
１６、２６、４６、４７、４９…縫合箇所
【図１】
2006288681.tif 000003
【図２】
2006288681.tif 000004
【図３】
2006288681.tif 000005
【図４】
2006288681.tif 000006
【図５】
2006288681.tif 000007
【図６】
2006288681.tif 000008